(57)【要約】      （修正有）【課題】従来通り十分な閉じ付勢や凹凸係合保持機能が重合時に生じつつ、開放位置では係合保持されず自由に角度調整が行える画期的なヒンジ装置並びにヒンジ装置を用いた電子機器を提供する。【解決手段】回動軸部６を軸に互いに相対回動自在に設けられる第二部材４の回動と共に回動するカム部９と、第一部材２の回動と共に回動するカム係合部１０とを有し、このカム部９に設けた凸部９Ａとカム係合部１０に設けた凹部１０Ａとが凹凸係合することでその回動位置が係合保持されるように構成したヒンジ装置において、カム部９に設けた第一の凸部９Ａが係合する第一の凹部１０Ａをカム係合部１０に設け、前記第一部材２と前記第二部材４とが重合閉塞状態のとき前記第一の凸部９Ａと前記第一の凹部１０Ａとが係合若しくは係合途中となるように構成すると共に、開放位置では係合保持されず自由に角度調整が行えるように構成したヒンジ装置。【選択図】        図６
2004332874.tif 000002
【特許請求の範囲】
【請求項１】
第一部材と第二部材とを回動自在に連結するヒンジ装置であって、回動軸部を軸に互いに相対回動自在に設けられる前記第一部材の回動と共に回動するカム部と、前記第二部材の回動と共に回動するカム係合部とを有し、このカム部に設けた凸部とカム係合部に設けた凹部とが相対回動によって互いに係合することでその回動位置が係合保持されるように構成したヒンジ装置において、前記カム部に設けた第一の凸部が係合する第一の凹部を前記カム係合部に設け、前記第一部材と前記第二部材とが重合閉塞状態のとき前記第一の凸部と前記第一の凹部とが係合若しくは係合途中となるように構成すると共に、この重合閉塞状態のときに同様に係合若しくは係合途中となる第二の凸部と第二の凹部を前記カム部と前記カム係合部に設け、前記第一の凸部及びこれと係合する前記第一の凹部の相対回動軌跡位置を決定するこれらの形成位置の相対回動中心からの距離と、前記第二の凸部とこれと係合する前記第二の凹部の相対回動軌跡位置を決定するこれらの位置の相対回動中心からの距離とが異なるように設定して、前記重合閉塞状態のときには前記第一，第二の双方の凸部と前記第一，第二の双方の凹部とが夫々係合若しくは係合途中となるが、少なくとも開放方向に回動した際、前記第一の凸部及び前記第二の凸部は前記第一の凹部及び前記第二の凹部には夫々落ち込まずに夫々の周辺を通過して係合しないように構成したことを特徴とするヒンジ装置。
【請求項２】
第一部材と第二部材とを枢着し、この第一部材を第二部材に対して重合閉塞状態から開放方向に相対的に回動せしめるヒンジ装置であって、第一部材に連結する第一連結部に回動軸部を設け、第二部材に連結する第二連結部に前記回動軸部が回動自在に係合する軸受部を設け、前記第一連結部に前記回動軸部と共に回動する凸部を有するカム部若しくは凹部を有するカム係合部を設け、前記軸受部と共に回動する凹部を有するカム係合部若しくは凸部を有するカム部を前記第二連結部に設け、この相対回動することで凹凸係合するカム部，カム係合部の少なくとも一方を係合離反方向にスライド移動自在に設けると共に、このカム部，カム係合部の少なくとも一方が係脱するに際して離反方向に移動した際係合方向に付勢する係合付勢機構を設けて、前記第一部材と前記第二部材とを相対回動して重合閉塞状態とした際にこのカム部とカム係合部とが凹凸係合若しくは係合途中となり、前記係合付勢機構によりこの係合が保持され重合閉塞状態が保持あるいは閉塞付勢されるように構成し、このカム部，カム係合部のいずれか一方を前記係合付勢機構に抗して離反方向に移動させつつ回動させることで前記カム係合部に対してカム部を係脱させ、前記第一部材に対して前記第二部材を相対回動するように構成したヒンジ装置において、前記カム部に設けた第一の凸部が係合する第一の凹部を前記カム係合部に設け、前記第一部材と前記第二部材とが重合閉塞状態のとき前記第一の凸部と前記第一の凹部とが係合若しくは係合途中となるように構成すると共に、この重合閉塞状態のときに同様に係合若しくは係合途中となる第二の凸部と第二の凹部を前記カム部と前記カム係合部に設け、前記第一の凸部及びこれと係合する前記第一の凹部の相対回動軌跡位置を決定するこれらの形成位置の相対回動中心からの距離と、前記第二の凸部とこれと係合する前記第二の凹部の相対回動軌跡位置を決定するこれらの位置と相対回動中心からの距離とが異なるように設定して、前記重合閉塞状態のときには前記第一，第二の双方の凸部と前記第一，第二の双方の凹部とが夫々係合若しくは係合途中となるが、少なくとも開放方向に回動した際、前記第一の凸部及び前記第二の凸部は前記第一の凹部及び前記第二の凹部には夫々落ち込まずに夫々の周辺を通過して係合しないように構成したことを特徴とするヒンジ装置。
【請求項３】
前記第一の凸部及びこれと１８０度相対位置に設けた前記第二の凸部の形成位置と、前記第一の凹部及びこれと１８０度相対位置に設けた前記第二の凹部の形成位置との相対回動中心からの距離を異ならせて、前記重合閉塞状態のときには前記第一，第二の双方の凸部と前記第一，第二の双方の凹部とが係合若しくは係合途中となるが、開放方向に回動した際、第一の凸部と第二の凹部とはすれ違い、且つ、第二の凸部と第一の凹部とがすれ違い凹凸係合しないように構成したことを特徴とする請求項１，２のいずれか１項に記載のヒンジ装置。
【請求項４】
操作部を設けた本体部と、ディスプレイ部を設けた重合部とを、前記操作部を操作しない時にはこの操作部を覆うように重合配設し、この重合した状態から前記重合部を相対的に回動して操作部を露出させることができるように前記本体部と前記重合部とを回動自在に連結するヒンジ装置を有し、このヒンジ装置には、前記本体部を前記第一部材若しくは第二部材とし、前記重合部を前記第二部材若しくは第一部材とした前記請求項１〜３のいずれか１項に記載のヒンジ装置を用いたことを特徴とするヒンジ装置を用いた電子機器。
【発明の詳細な説明】
【０００１】
【発明の属する技術分野】
本発明は、例えば、ノート型と称されるパソコンやワープロ、あるいは携帯電話などの電子機器における操作部を備えた本体部とディスプレイ部を備えた開閉蓋部となる重合部とを起伏開閉自在に枢着するために使用されるヒンジ装置並びにこの電子機器に関するものである。
【０００２】
【従来の技術及び発明が解決しようとする課題】
例えば、ノート型と称されるパソコンやワープロは、操作部を備えた本体部に対してディスプレイ部を備えた開閉蓋部（重合部）がヒンジ装置を介して起伏開閉自在に設けられているが、この開閉蓋部を本体部に伏した閉塞重合状態でこの開閉蓋部が勝手に開いてしまうことがないように、閉塞状態を維持する重合保持機能をヒンジ装置に設けている。
【０００３】
即ち、例えばヒンジ装置の回動軸部を軸に互いに相対回動自在に設けられる本体部若しくは重合部の回動と共に回動するカム部と、重合部若しくは本体部の回動と共に回動するカム係合部とを有し、閉塞重合状態となるとき、このカム部に設けた凸部とカム係合部に設けた凹部とが凹凸係合することでこの重合状態が係合保持されるように構成する。
【０００４】
更に説明すれば、例えば本体部若しくは重合部に連結する第一連結部に回動軸部を設け、重合部若しくは本体部に連結する第二連結部に前記回動軸部が回動自在に係合する軸受部を設け、前記第一連結部に前記回動軸部と共に回動する凸部を有するカム部を設け、前記軸受部と共に回動する凹部を有するカム係合部を前記第二連結部に設け、この相対回動することで凹凸係合するカム部，カム係合部の少なくとも一方を回動軸部に沿って係合離反方向にスライド移動自在に設けると共に、このカム部，カム係合部の少なくとも一方が係脱するに際して離反方向に移動した際係合方向に付勢するバネによる係合付勢機構を設けて、本体部に対して重合部を相対回動して閉塞重合状態とした際にこのカム部とカム係合部とが凹凸係合途中となり、前記バネによる係合付勢機構によってこの係合途中が保持され閉塞付勢されて重合閉塞状態が係合保持されるように構成し、またこのカム部，カム係合部のいずれか一方を前記係合付勢機構に抗して離反方向に移動させつつ回動させることで前記カム係合部に対してカム部を係脱させ、そのまま本体部に対して重合部を相対回動できるように構成する。
【０００５】
このようにヒンジ装置を構成することで、別に閉塞保持装置を設けてこれをロック解除する等のやっかいな操作は一切不要にして重合状態とすることで自動的にカム係合（凹凸係合）付勢とバネ付勢とによってこの重合状態が係合保持されることとなり、そのままこの閉塞付勢に抗して回動すれば開放できることとなる。即ち、常に重合状態では閉塞方向（重合状態となる方向）に付勢されることとなって開き止めされ、また、開放回動したいときには、この付勢力に抗して回動すればカム係合が外れてそのまま開放回動することができる。
【０００６】
しかしながら、従来のこのカム係合は一般に一方のカム部に１８０度対称位置に夫々凸部を設け、他方のカム係合部にこれに係合する凹部を同じく１８０度対称位置に夫々設け、相対回動することでバネに付勢されつつ夫々が同時に互いに凹凸係合するように構成している。
【０００７】
従って、閉塞重合状態で夫々の凸部と凹部とがバネ付勢によって凹凸係合途中となるように設計して十分な閉塞付勢が生じるようにしているため、この凹凸係合から脱して開放方向に回動した際には１８０度開放回動する手前の例えば１６０〜１７０度くらい開いたところで夫々の凸部と凹部とが完全に再び凹凸係合（クリック係合）し、この位置で開放状態が係合保持されるように構成されている。
【０００８】
そのため、閉塞付勢を生じるだけでなく、必ず開放状態の所定位置でも係合保持されることになるため、便利とも言えるが、逆に常にこの開放位置で係合保持されることとなるためわずらわしい場合も多い。
【０００９】
即ち、カム部とカム係合部とのバネ付勢による相対回動摩擦によって、開き途中のどの位置でも手を放した位置で停止するフリーストップ状態となるように設定すれば、むしろ特定の開放位置で係合保持されない方が、所望する開放位置で停止させることにより自由に重合部の角度を調整設定でき、便利となる場合が多い。
【００１０】
そこで、閉塞重合状態では閉塞付勢あるいは凹凸係合保持機能が従来通り生じるが、開放位置では凹凸係合保持機能が生じない（クリック係合しない）構成に改良することに着目した。
【００１１】
しかし、単にカム部とカム係合部との夫々の一側にのみ一つの凸部と一つの凹部を形成し、これのみを凹凸係合させるように構成すれば、３６０度回動しなければ再び凹凸係合しないため開放位置でクリック係合しない構成とすることができるが、この場合一箇所の凹凸係合のみであるために前記閉塞重合状態での閉塞付勢や凹凸係合保持力が十分に生じない。
【００１２】
また、一箇所での凹凸係合のみとした上で、凹凸係合によるこの閉塞付勢力を大きくするために、この凹凸を深くしたり、傾斜をきつくしたり、バネ力を大きくすると離脱力がかなり必要となってしまったり、スムーズな回動が行えなくなったり、負荷が集中するため所望の閉塞付勢が長期間維持できず、耐久性に劣る等の問題が逆に生じてしまう。
【００１３】
本発明は、このような問題点を解決しつつ、従来通り十分な閉じ付勢や凹凸係合保持機能が重合時に生じつつ、開放位置では係合保持されず自由に角度調整が行える画期的なヒンジ装置並びにヒンジ装置を用いた電子機器を提供することを目的としている。
【００１４】
【課題を解決するための手段】
添付図面を参照して本発明の要旨を説明する。
【００１５】
第一部材２と第二部材４とを回動自在に連結するヒンジ装置であって、回動軸部６を軸に互いに相対回動自在に設けられる前記第一部材２の回動と共に回動するカム部９と、前記第二部材４の回動と共に回動するカム係合部１０とを有し、このカム部９に設けた凸部９Ａとカム係合部１０に設けた凹部１０Ａとが相対回動によって互いに係合することでその回動位置が係合保持されるように構成したヒンジ装置において、前記カム部９に設けた第一の凸部９Ａが係合する第一の凹部１０Ａを前記カム係合部１０に設け、前記第一部材２と前記第二部材４とが重合閉塞状態のとき前記第一の凸部９Ａと前記第一の凹部１０Ａとが係合若しくは係合途中となるように構成すると共に、この重合閉塞状態のときに同様に係合若しくは係合途中となる第二の凸部９Ｂと第二の凹部１０Ｂを前記カム部９と前記カム係合部１０に設け、前記第一の凸部９Ａ及びこれと係合する前記第一の凹部１０Ａの相対回動軌跡位置を決定するこれらの形成位置の相対回動中心からの距離と、前記第二の凸部９Ｂとこれと係合する前記第二の凹部１０Ｂの相対回動軌跡位置を決定するこれらの位置の相対回動中心からの距離とが異なるように設定して、前記重合閉塞状態のときには前記第一，第二の双方の凸部９Ａ，９Ｂと前記第一，第二の双方の凹部１０Ａ，１０Ｂとが夫々係合若しくは係合途中となるが、少なくとも開放方向に回動した際、前記第一の凸部９Ａ及び前記第二の凸部９Ｂは前記第一の凹部１０Ａ及び前記第二の凹部１０Ｂには夫々落ち込まずに夫々の周辺を通過して係合しないように構成したことを特徴とするヒンジ装置に係るものである。
【００１６】
また、第一部材２と第二部材４とを枢着し、この第一部材２を第二部材４に対して重合閉塞状態から開放方向に相対的に回動せしめるヒンジ装置であって、第一部材２に連結する第一連結部５に回動軸部６を設け、第二部材４に連結する第二連結部７に前記回動軸部６が回動自在に係合する軸受部８を設け、前記第一連結部５に前記回動軸部６と共に回動する凸部９Ａを有するカム部９若しくは凹部１０Ａを有するカム係合部１０を設け、前記軸受部８と共に回動する凹部１０Ａを有するカム係合部１０若しくは凸部９Ａを有するカム部９を前記第二連結部７に設け、この相対回動することで凹凸係合するカム部９，カム係合部１０の少なくとも一方を係合離反方向にスライド移動自在に設けると共に、このカム部９，カム係合部１０の少なくとも一方が係脱するに際して離反方向に移動した際係合方向に付勢する係合付勢機構１１を設けて、前記第一部材２と前記第二部材４とを相対回動して重合閉塞状態とした際にこのカム部９とカム係合部１０とが凹凸係合若しくは係合途中となり、前記係合付勢機構１１によりこの係合が保持され重合閉塞状態が保持あるいは閉塞付勢されるように構成し、このカム部９，カム係合部１０のいずれか一方を前記係合付勢機構１１に抗して離反方向に移動させつつ回動させることで前記カム係合部１０に対してカム部９を係脱させ、前記第一部材２に対して前記第二部材４を相対回動するように構成したヒンジ装置において、前記カム部９に設けた第一の凸部９Ａが係合する第一の凹部１０Ａを前記カム係合部１０に設け、前記第一部材２と前記第二部材４とが重合閉塞状態のとき前記第一の凸部９Ａと前記第一の凹部１０Ａとが係合若しくは係合途中となるように構成すると共に、この重合閉塞状態のときに同様に係合若しくは係合途中となる第二の凸部９Ｂと第二の凹部１０Ｂを前記カム部９と前記カム係合部１０に設け、前記第一の凸部９Ａ及びこれと係合する前記第一の凹部１０Ａの相対回動軌跡位置を決定するこれらの形成位置の相対回動中心からの距離と、前記第二の凸部９Ｂとこれと係合する前記第二の凹部１０Ｂの相対回動軌跡位置を決定するこれらの位置と相対回動中心からの距離とが異なるように設定して、前記重合閉塞状態のときには前記第一，第二の双方の凸部９Ａ，９Ｂと前記第一，第二の双方の凹部１０Ａ，１０Ｂとが夫々係合若しくは係合途中となるが、少なくとも開放方向に回動した際、前記第一の凸部９Ａ及び前記第二の凸部９Ｂは前記第一の凹部１０Ａ及び前記第二の凹部１０Ｂには夫々落ち込まずに夫々の周辺を通過して係合しないように構成したことを特徴とするヒンジ装置に係るものである。
【００１７】
また、前記第一の凸部９Ａ及びこれと１８０度相対位置に設けた前記第二の凸部９Ｂの形成位置と、前記第一の凹部１０Ａ及びこれと１８０度相対位置に設けた前記第二の凹部１０Ｂの形成位置との相対回動中心からの距離を異ならせて、前記重合閉塞状態のときには前記第一，第二の双方の凸部９Ａ，９Ｂと前記第一，第二の双方の凹部１０Ａ，１０Ｂとが係合若しくは係合途中となるが、開放方向に回動した際、第一の凸部９Ａと第二の凹部１０Ｂとはすれ違い、且つ、第二の凸部９Ｂと第一の凹部１０Ａとがすれ違い凹凸係合しないように構成したことを特徴とする請求項１，２のいずれか１項に記載のヒンジ装置に係るものである。
【００１８】
また、操作部１を設けた本体部２と、ディスプレイ部３を設けた重合部４とを、前記操作部１を操作しない時にはこの操作部１を覆うように重合配設し、この重合した状態から前記重合部４を相対的に回動して操作部１を露出させることができるように前記本体部２と前記重合部４とを回動自在に連結するヒンジ装置を有し、このヒンジ装置には、前記本体部２を前記第一部材２若しくは第二部材４とし、前記重合部４を前記第二部材４若しくは第一部材２とした前記請求項１〜３のいずれか１項に記載のヒンジ装置を用いたことを特徴とするヒンジ装置を用いた電子機器に係るものである。
【００１９】
【発明の実施の形態】
好適と考える本発明の実施の形態（発明をどのように実施するか）を、図面に基づいてその作用効果を示して簡単に説明する。
【００２０】
例えば、第一部材２に対して第二部材４を相対回動して重合状態とすると、回動軸部６を軸として係合付勢機構１１により押圧付勢されつつカム部９とカム係合部１０とは相対回動して、例えばカム部９の第一の凸部９Ａはカム係合部１０の第一の凹部１０Ａに、カム部９の第二の凸部９Ｂはカム係合部１０の第二の凹部１０Ｂに夫々凹凸係合若しくは係合途中となる。
【００２１】
従って、係合付勢機構１１による押圧付勢とこの凹凸の吸い込み力によるカム係合付勢によって重合方向へ回動付勢（閉塞付勢）が生じ、この係合付勢機構１１に付勢された凹凸係合によって、重合状態が係合保持される。
【００２２】
この際、従来通り二箇所の凹凸部９Ａ，９Ｂ，１０Ａ，１０Ｂによって凹凸係合あるいは凹凸係合途中となるため、例えば極端に凹凸を深くしたり、係合傾斜面の傾斜をきつくしたり、係合付勢機構１１によるバネ付勢を強くしなくても十分な係合保持力が生じる。
【００２３】
また、第一部材２に対して第二部材４を開放方向に相対回動させれば係合付勢機構１１の付勢に抗してカム部９，カム係合部１０の一方を離反させつつ凹凸係合を脱しさせ、そのまま回動させることができるが、この場合、第一の凸部９Ａは第一の凹部１０Ａから脱してカム係合部１０の当接面に沿って回動し、第二の凸部９Ｂも第二の凹部１０Ｂから脱して回動して行くこととなる。そしてこの開放回動に際して重合状態では第二の凸部９Ｂが係合する第二の凹部１０Ｂに第一の凸部９Ａが達することになるが、この第一の凸部９Ａと第二の凹部１０Ｂの相対回動中心（回動軸部６）からの距離が異なり、相対回動中心に対する夫々の相対回動軌跡位置が異なる形成位置に夫々形成されているため、第一の凸部９Ａは第二の凹部１０Ｂとすれ違い、落ち込み係合することなく回動通過することとなる。
【００２４】
また、同様に第二の凸部９Ｂは第一の凹部１０Ａに達することになるが、この第一の凸部９Ｂと第二の凹部１０Ａの相対回動中心（回動軸部６）からの距離が異なり、相対回動中心に対する夫々の相対回動軌跡位置が異なる形成位置に夫々形成されているため、第一の凸部９Ｂは第二の凹部１０Ａとすれ違い、落ち込み係合することなく回動通過することとなる。
【００２５】
従って、従来とは異なり開放位置で凹凸係合することはない。
【００２６】
従って、係合付勢機構１１による付勢によるカム部９とカム係合部１０との回動摩擦を適正となるように設定することで、スムーズな回動となると共に手を放した位置でその回動位置がこの摩擦によって保持されるフリーストップが実現でき、しかも本発明では従来のように開放位置の特定位置で前述のように凹凸係合しないため、自由な開放角度にこのフリーストップによって自在に調整できることとなる。
【００２７】
また、このフリーストップのための摩擦は回動当接面の状態や係合付勢機構１１の付勢力等によって調整できるが、回動当接面に第一の凸部９Ａ，第二の凸部９Ｂの双方とも当接するように設計すれば、従来どおり常に第一の凸部９Ａと第二の凸部９Ｂが回動当接面に係合付勢機構１１による付勢によって当接して回動トルクの変化がなく、常に安定したフリーストップが実現し得る。
【００２８】
【実施例】
本発明の具体的な実施例について図面に基づいて説明する。
【００２９】
本実施例は、図１に示すように、ラップトップタイプのノート型パソコンに適用した場合のもので、キー操作部１を備えた本体部を第一部材２とし、ディスプレイ部３（ＬＣＤ）を備えた開閉蓋部（重合部）を第二部材４とし、この第一部材２と第二部材４とが重合した閉塞状態から第二部材４を立ち上げて１８０度あるいはそれ以上自由に開放状態（使用位置）とすることができる枢着構造に本発明のヒンジ装置を適用している（本実施例では左右両側に設けた場合を示している。）。
【００３０】
本実施例では、第二部材４（重合部）に連結する第二連結部７（連結金具）に回り止め状態に回動軸部６を設け、第一部材２（本体部）に連結する第一連結部５（連結金具）に前記回動軸部６が回動自在に挿通・係合するリング状の軸受部８を設け、前記第二連結部７及び前記回動軸部６と共に回動する凸部９Ａを有するカム部９を第二連結部７に設けている。即ち、第二連結部７の回動軸部６に回り止め状態にして軸方向にスライド自在にカム部９を被嵌している。
【００３１】
また、軸受部８と共に回動する凹部１０Ａを有するカム係合部１０を前記第一連結部５の軸受部８に設けている。即ち、軸受部８に一体形成しても良いが、前記カム部９と対向して係合する側に軸受部８に回り止め状態に係合させると共に、回動軸部６が挿通する軸受孔が連通状態となるようにカム係合部１０を設けている。
【００３２】
即ち、回動軸部６と共にカム係合部１０に対して相対回動することで凹凸係合するカム部９を係合離反方向にスライド移動自在に設けると共に、このカム部９が係脱するに際して離反方向に移動した際係合方向に付勢する係合付勢機構１１を設けている。具体的には、本実施例では、押さえ部１２によって回動軸部６に被嵌状態に設けられる複数の皿バネ１１Ａによって、回動軸部６に回り止め状態にしてスライド自在に被嵌したカム部９を押圧付勢してカム部９とカム係合部１０とを係合付勢し、カム部９とカム係合部１０との凹凸係合が脱して回動するときにはこの皿バネ１１Ａに抗して回動することとなるように構成している。
【００３３】
従って、本体部２に対して重合部４を回動すると、本体部２に設けた第一連結部５の軸受部８に対して重合部４に設けた回動軸部６が回動する。即ち、軸受部８に回り止め状態に設けたカム係合部１０に対して、回動軸部６に回り止め状態に設けたカム部９が回動することとなる。
【００３４】
従って、本体部２に対して重合部４を相対回動して重合状態とすると、回動軸部６を軸として係合付勢機構１１の皿バネ１１Ａにより押圧付勢されつつカム部９とカム係合部１０とは相対回動して、カム部９の第一の凸部９Ａはカム係合部１０の第一の凹部１０Ａに、カム部９の第二の凸部９Ｂはカム係合部１０の第二の凹部１０Ｂに夫々凹凸係合途中となる。
【００３５】
従って、係合付勢機構１１による押圧付勢とこの凹凸の吸い込み力によるカム係合付勢によって重合方向へ回動付勢（閉塞付勢）が生じ、この係合付勢機構１１に付勢された凹凸係合によって、重合状態が係合保持される。
【００３６】
また、本実施例では、前述のように前記カム部９に設けた第一の凸部９Ａが係合する第一の凹部１０Ａを前記カム係合部１０に設け、この第一の凸部９Ａと第一の凹部１０Ａとが前記重合閉塞状態のとき係合途中となるように構成すると共に、この重合閉塞状態のときに同様に係合途中となる第二の凸部９Ｂと第二の凹部１０Ｂとを夫々略１８０度対称位置に前記カム部９と前記カム係合部１０に設け、前記第一の凸部９Ａ及びこれと係合する前記第一の凹部１０Ａの相対回動軌跡位置を決定するこれらの形成位置の相対回動中心からの距離と、前記第二の凸部９Ｂとこれと係合する前記第二の凹部１０Ｂの相対回動軌跡位置を決定するこれらの位置の相対回動中心からの距離とが異なるように設定して、前記重合閉塞状態のときには前記第一，第二の双方の凸部９Ａ，９Ｂと前記第一，第二の双方の凹部１０Ａ，１０Ｂとが夫々係合若しくは係合途中となるが、少なくとも開放方向に回動した際、前記第一の凸部９Ａ及び前記第二の凸部９Ｂは前記第一の凹部１０Ａ及び前記第二の凹部１０Ｂには夫々落ち込まずに夫々の周辺を通過して係合しないように構成している。
【００３７】
また、前記第一の凸部９Ａ及びこれと１８０度相対位置に設けた前記第二の凸部９Ｂの形成位置と、前記第一の凹部１０Ａ及びこれと１８０度相対位置に設けた前記第二の凹部１０Ｂの形成位置との相対回動中心からの距離を異ならせて、前記重合閉塞状態のときには前記第一，第二の双方の凸部９Ａ，９Ｂと前記第一，第二の双方の凹部１０Ａ，１０Ｂとが係合若しくは係合途中となるが、開放方向に回動した際、第一の凸部９Ａと第二の凹部１０Ｂとはすれ違い、且つ、第二の凸部９Ｂと第一の凹部１０Ａとがすれ違い凹凸係合しないように構成している。
【００３８】
具体的には、前記カム部９の係合面の１８０度対称位置に第一の凸部９Ａと第二の凸部９Ｂを一体突出形成している。
【００３９】
即ち、中央に回動軸部６を挿通する挿通孔に対して（相対回動中心に対して）離れた外周縁寄りに第一の凸部９Ａを形成し、挿通孔に対して（相対回動中心に対して）近い挿通孔寄りに第二の凸部９Ｂを形成している。
【００４０】
また、カム係合部１０の係合面の１８０度対称位置に第一の凹部１０Ａと第二の凹部１０Ｂとを一体突出形成するが、これも第一の凹部１０Ａは中央に回動軸部６を挿通する挿通孔に対して（相対回動中心に対して）離れた外周縁寄りに形成して、相対回動した際、第一の凸部９Ａと係合するように形成し、また、第二の凹部１０Ｂは挿通孔に対して（相対回動中心に対して）近い挿通孔寄りに形成して、相対回動した際に第二の凸部９Ｂと係合するように形成している。
【００４１】
しかし、このように第一の凸部９Ａと第一の凹部１０Ａとの形成位置と、第二の凸部９Ｂと第二の凹部１０Ｂとの形成位置を異ならせて、互いに係合する第一の凸部と凹部９Ａ，９Ｂと第二の凸部と凹部９Ｂ，１０Ｂの回動軌跡位置と異ならせて、第一の凸部９Ａと第二の凹部１０Ｂ並びに第二の凸部９Ｂと第一の凹部１０Ａとが係合せずにすれ違うように形成することで、開放時に係合（クリック係合による係合保持）がなされないようにしている。
【００４２】
また、第一の凸部９Ａ、第一の凹部１０Ａの幅は、第二の凸部９Ｂ、第二の凹部１０Ｂの幅より広く設定している。これは、相対回動中心からの距離の違いに応じて幅を設定し、係合時には第一の凸部９Ａと第二の凸部９Ｂとが夫々第一の凹部１０Ａ，第二の凹部１０Ｂに同じタイミングで係脱するように形成し、閉塞時には従来通り二箇所の凹凸部９Ａ，９Ｂ，１０Ａ，１０Ｂによって凹凸係合途中となって、例えば極端に凹凸を深くしたり、係合傾斜面の傾斜をきつくしたり、係合付勢機構１１によるバネ付勢を強くしなくても十分な係合保持力が生じるようにしている。
【００４３】
従って、係合付勢機構１１による付勢によるカム部９とカム係合部１０との回動摩擦を適正となるように設定することで、スムーズな回動となると共に手を放した位置でその回動位置がこの摩擦によって保持されるフリーストップが実現でき、しかも本発明では従来のように開放位置の特定位置で前述のように凹凸係合しないため、自由な開放角度にこのフリーストップによって自在に調整できることとなる。
【００４４】
また、このフリーストップのための摩擦は回動当接面の状態や係合付勢機構１１の付勢力等によって調整できるが、回動当接面に第一の凸部９Ａ，第二の凸部９Ｂの双方とも当接するように設計すれば、従来どおり常に第一の凸部９Ａと第二の凸部９Ｂが回動当接面に係合付勢機構１１による付勢によって当接して回動トルクの変化がなく、常に安定したフリーストップが実現し得る。
【００４５】
尚、本発明は、本実施例に限られるものではなく、各構成要件の具体的構成は適宜設計し得るものである。
【００４６】
【発明の効果】
本発明は上述のように構成したから、従来通り十分な閉じ付勢や凹凸係合保持機能が重合時に生じつつ、開放位置では係合保持されず自由に角度調整が行える画期的なヒンジ装置並びにヒンジ装置を用いた電子機器となる。
【００４７】
即ち、重合状態では、一箇所ではなく少なくとも二箇所での凹凸係合となるため、例えば極端に凹凸を深くしたり、係合傾斜面の傾斜をきつくしたり、係合付勢機構によるバネ付勢を強くしなくても十分な係合保持力が生じ、それでありながら開放位置では、従来と異なり凹凸係合しないため自由な開放角度にこのフリーストップによって自在に調整できることとなる画期的なヒンジ装置となる。
【００４８】
また、請求項２，３記載の発明においては、一層簡易な構成にして容易に実現できるヒンジ装置となる。
【図面の簡単な説明】
【図１】本実施例の使用状態を示す斜視図である。
【図２】本実施例の説明分解斜視図１である。
【図３】本実施例の異なる方向から見た説明分解斜視図２である。
【図４】本実施例の斜視図１である。
【図５】本実施例の異なる方向から見た斜視図２である。
【図６】本実施例のカム部，カム係合部の斜視図である。
【図７】本実施例の使用状態を示すの説明側面図である。
【図８】本実施例の図７に対応させた使用状態のカム係合部に対するカム部の係合状態を示す説明平断面図である。
【符号の説明】
１  操作部
２  第一部材（本体部）
３  ディスプレイ部
４  第二部材（重合部）
５  第一連結部（連結金具）
６  回動軸部
７  第二連結部（連結金具）
８  軸受部
９  カム部
９Ａ  第一の凸部
９Ｂ  第二の凸部
１０  カム係合部
１０Ａ  第一の凹部
１０Ｂ  第二の凹部
１１  係合付勢機構
【図１】
2004332874.tif 000003
【図２】
2004332874.tif 000004
【図３】
2004332874.tif 000005
【図４】
2004332874.tif 000006
【図５】
2004332874.tif 000007
【図６】
2004332874.tif 000008
【図７】
2004332874.tif 000009
【図８】
2004332874.tif 000010